【事件の表示】
　特願２０１４−５４１９５３「イメージセンサ装置」拒絶査定不服審判事件〔平成２６年　４月２４日国際公開、ＷＯ２０１４／０６１２７４、請求項の数（１）〕について、次のとおり審決する。
【結　論】
　原査定を取り消す。
　本願の発明は、特許すべきものとする。
【理　由】
第１　手続の経緯
　本願は、２０１３年（平成２５年）１０月１７日（優先権主張　平成２４年１０月１８日、日本、平成２５年３月７日、日本）を国際出願日とする出願であって、平成２８年４月２０日付けで拒絶理由通知がされ、平成２８年６月２４日付けで手続補正がされ、平成２８年１１月８日付けで拒絶査定（以下「原査定」という。）がされ、これに対し、平成２９年２月１４日に拒絶査定不服審判の請求がされると同時に手続補正がされ、平成２９年４月１３日に前置報告がされたものである。
第２　原査定の概要
　原査定（平成２８年１１月８日付け拒絶査定）の概要は、以下のとおりである。
　本願請求項１−１６に係る発明は、以下の引用文献１−５に基づいて、その発明の属する技術の分野における通常の知識を有する者（以下「当業者」という。）が容易に発明できたものであるから、特許法第２９条第２項の規定により特許を受けることができない。
引用文献１．特開２００９−１３５９１４号公報
引用文献２．特開２０１１−４４３３６号公報
引用文献３．特開２０１１−１８２３７０号公報
引用文献４．特開平９−２６１４０９号公報
引用文献５．特開２０１１−１８８２３１号公報
第３　本願発明
　本願の請求項１に係る発明（以下「本願発明」という。）は、平成２９年２月１４日付けの手続補正によって補正された特許請求の範囲の請求項１に記載した事項により特定される発明であり、下記のとおりである。
　なお、本願発明の各構成の符号は、説明のために当審において付与したものであり、以下、構成Ａ、構成Ｂなどと称する。
（本願発明）
（Ａ）それぞれが、
　被読取物に光を照射する主走査方向に延在する照明部、前記被読取物からの光を結像するロッドレンズアレイ、およびこのロッドレンズアレイで結像された光を電気信号に変換する受光部を具備し、
　前記照明部は、１つの発光体から発する、前記被読取物の第１照明領域に対して前記被読取物の法線方向から照射する法線光と、前記第１照明領域から副走査方向に離れた第２照明領域に対して前記被読取物の法線方向から定められた角度だけ傾斜させた傾斜光とにより前記被読取物を照明する
　イメージセンサ、の対を備え、
（Ｂ）前記イメージセンサの対は前記被読取物を挟んで対向し、前記イメージセンサは相互に、一方の前記イメージセンサの前記法線光を照射する前記照明部が、他方の前記イメージセンサの前記ロッドレンズアレイに対向して配置され、一方の前記イメージセンサの前記照明部が前記法線光で照明する前記第１照明領域が、他方の前記イメージセンサの前記ロッドレンズアレイの光軸上の領域であって、他方の前記イメージセンサの前記照明部が前記傾斜光で照明する前記第２照明領域であると共に、一方の前記イメージセンサの前記照明部から発する前記法線光の光軸と、他方の前記イメージセンサの前記ロッドレンズアレイの光軸とが一致しており、
（Ｃ）一方の前記イメージセンサの前記照明部と他方の前記イメージセンサの前記照明部とは互いに異なるタイミングで点灯し、
（Ｄ）一方の前記イメージセンサの前記照明部の点灯タイミングにおいて、一方の前記イメージセンサの前記受光部で前記傾斜光が前記被読取物で反射した反射光を電気信号に変換し、他方の前記イメージセンサの前記受光部で前記法線光が前記被読取物を透過した透過光を電気信号に変換する
（Ｅ）イメージセンサ装置。
第４　引用文献、引用発明等
１．引用文献１の記載
　原査定の拒絶の理由に引用された上記引用文献１（特開２００９−１３５９１４号公報）には、「画像読取装置及びその制御方法、並びに記憶媒体」（発明の名称）として、図面とともに以下の記載がなされている（下線は強調のため当審で付与した。）。
（１）「【０００１】
  本発明は、原稿の画像を読取るスキャナ等の画像読取装置及びその制御方法、並びに記憶媒体に関する。」
（２）「【００１９】
  図１は、本発明の第１の実施形態に係る画像読取装置を説明するための断面図である。
【００２０】
  本実施形態の画像読取装置は、図１に示すように、原稿台７に積載された原稿８が、ピックアップローラ６に当接するまで原稿台７が上昇すると、ピックアップローラ６によってピックアップされ、給送ローラ４によって給送される。
【００２１】
  ピックアップローラ６にて１度に２枚以上の原稿８をピックアップした場合、分離ローラ１１により原稿を分離し、１枚ずつ給送する。そして、
原稿８は、表面（一方の面）の画像が読取ユニット（第１読取手段）１ａによって読み取られ、裏面（他方の面）の画像が読取ユニット（第２読取手段）１ｂによって読み取られる。読取ユニット１ａ及び読取ユニット１ｂは原稿８の搬送路１０を挟んで略対向する位置に設けられているが、原稿８の表面を読み取る読取位置と裏面を読み取る読取位置との間は原稿８の搬送方向に所定の距離だけ離れている。
（３）「【００２７】
  次に、図２を参照して、読取ユニット１ａ，１ｂについて詳述する。
【００２８】
  
読取ユニット１ａは、
光源１１０、結像手段１２０及び撮像手段１３０が配置され
撮像手段１３０は、受光素子１３２と、それを実装したＰＣＢ１３１からなり、原稿からの反射光を出力信号に変換して出力する。
【００２９】
  
読取ユニット１ｂは、
光源２１０、結像手段２２０及び撮像手段２３０が配置され
撮像手段２３０は、受光素子２３２と、それを実装したＰＣＢ２３１からなり、原稿からの反射光を出力信号に変換して出力する。
【００３０】
  また、枠体２００の搬送路１０側を向く部位には、
光学的開口部２０２が読取ユニット１ａの結像手段１２０の光軸１２１上に位置して設けられ
光源２１０の光の一部が光学的開口部２０２を通過して読取ユニット１ａの結像手段１２０に向けて入射する。
受光素子１３２が光源２１０の光を受光して出力する出力信号に基づいて制御部１４による原稿８の検出処理が行なわれる。
（４）「【００３３】
  図４は、図１又は図３の読取ユニット１ａの出力信号生成のタイミングチャートである。
【００３４】
  図４に示すように、まず、
ＬＥＤ等の３色の光源１１０のうち１色ずつＲ、Ｇ、Ｂの順番で点灯させる。これにより、それぞれ赤、緑、青の読取情報に対応する出力信号が時間ｔの間に順次撮像手段１３０から出力され、該出力信号を基に読取画像の１ライン分が取得される。
【００３５】
  一方、原稿８を１ライン分搬送するのに要する時間Ｔに対して時間ｔを短くして、
次のラインの読込み開始までにｔｗの待ち時間を設けており、対向する読取ユニット１ｂの光源２１０をこの時間ｔｗ中のＯＸのタイミングで点灯させる。
【００３６】
  すなわち、
原稿８の外形形状が影絵のように結像手段１２０を介して撮像手段１３０に投影される。撮像手段１３０は、この画像を読取って出力信号を出力し、この出力信号を基に、制御部１４は透過画像の１ライン分を取得する。続いて、読取ユニット１ａは、次のラインの読取を開始する。
【００３７】
  なお、制御部１４は、透過画像のうちのあるラインについて１ライン全ての画素が閾値以上の明るさを有していると判断した場合は、このラインを読取ったときに原稿８は読取位置には存在していないと認識する。また、制御部１４は、透過画像に閾値以下の明るさの画素が存在すると判断した場合に、例えば閾値を通過する明るさの変化のあった画素は原稿外形画素であると認識する。このような処理を繰り返すことで、原稿８の全幅と全長にわたって読取画像の情報と原稿の外形形状の情報とを得ることができる。」
【図４】
（５）「【００５３】
  次に、図１１を参照して、
本発明の第３の実施形態である画像読取装置について説明する。
【００５４】
  本実施形態では、
読取ユニット１ａ，１ｂの光源１１０，２１０としてＬＥＤを使用し、ＬＥＤが放出する光を原稿８の全幅にわたって照射するため
導光体１５０，２５０を用いる。
【００５５】
  光源である不図示のＬＥＤは、図１１において導光体１５０，２５０の紙面に対して手前側又は奥側の端部に配置されている。
導光体１５０，２５０は、光を撮像手段１３０，２３０の読取幅全体に導く導光部１５１，２５１と、光を原稿８に向けて照射する照射部１５２，２５２とを有する。
【００５６】
  そして、
本実施形態では、読取ユニット１ｂ側の導光部２５１を、該読取ユニット１ｂの光学的開口部２０２を介して読取ユニット１ａの結像手段１２０の光軸１２１上に配置する。
（略）
【００５９】
  また、本実施形態では、読取ユニット１ｂ側に光学的開口部２０２を設けたが、これに代えて、読取ユニット１ａ側に光学的開口部を設けてもよく、更に、
図１２に示すように、読取ユニット１ａ，１ｂの両方にそれぞれ光学的開口部１０２，２０２を設けてもよい。
【図１２】
２．引用発明
　上記引用文献１に記載された発明について検討する。
（１）上記１．（１）及び（２）によれば、引用文献１には、原稿の画像を読み取る画像読取装置について記載され、当該画像読み取り装置は、表面の画像を読み取る一方の読取ユニットである第１読取手段と、裏面の画像を読み取る他方の読取ユニットである第２読取手段とが、原稿を挟んで略対向する位置に配置されており、表面の読取位置と裏面の読取位置とは搬送方向に所定の距離だけ離れているものである。
　よって、引用文献１には、
「原稿の画像を読み取る画像読取装置であって、
　表面の画像を読み取る一方の読取ユニットである第１読取手段と、
　裏面の画像を読み取る他方の読取ユニットである第２読取手段とが、
　原稿を挟んで略対向する位置に配置され、
　表面の読取位置と裏面の読取位置とは搬送方向に所定の距離だけ離れている」
画像読取装置が記載されていると認められる。
（２）上記１．（３）によれば、読取ユニット（以下、「読取手段」との表記を用いる。）には、光源と、結像手段と、撮像手段とが配置されていること、前記撮像手段は、受光素子を備え、原稿からの反射光を出力信号に変換して出力すること、また、第２の読取手段の搬送路側には、光学的開口部が、第１の読取手段の結像手段の光軸上に位置して設けられ、第２の読取手段の光源からの光を、第１の読取手段の撮像手段の受光素子により受光すること、が記載されている。
　また、上記１．（５）によれば、読取手段の光源について、光を原稿に向けて照射する照射部と、光を撮像手段の読取幅全体に導く導光部とを備えた導光体を設け、第２の読取手段の導光部を、光学的開口部を介して、第１の読取手段の結像手段の光軸上に配置すること、及び、光学的開口部を、読取ユニットの両方に設けることが記載されている。
　さらに、図１２の記載によれば、照射部により照射する光は、導光部により光学的開口部に導かれる光に対して、所定の角度傾斜していること、及び、一方の読取手段の光源及び導光体は、照射部により照射する光により、当該一方の読取手段の読取位置を照明し、導光部により導かれた光により、光学的開口部を介して、他方の読取手段の読取位置を、原稿に対して垂直に照明する構成が看取される。
　よって、引用文献１に記載の画像読み取り装置は、
「両方の読取手段には、光源と、結像手段と、撮像手段とが配置され、
　前記撮像手段は、受光素子を備え、前記結像手段で結像させた光を出力信号に変換して出力し、
　各読取手段の搬送路側には、対向する他の読取手段の結像手段の光軸上に、光学的開口部が設けられ、
　前記光源は、光源からの光を、原稿に向けて照射する照射部と、撮像手段の読取幅全体に導く導光部と、を備えた導光体を有し、
　一方の読取手段の前記導光部により導かれる光は、光学的開口部を介して、他方の読取手段の読取位置を、原稿に対して垂直に照明し、
　前記照射部により照射する光は、前記導光部により光学的開口部に導かれる光に対して、所定の角度傾斜して、一方の読取手段の読取位置を照明する」
ものであると認められる。
（３）上記１．（４）によれば、画像読取装置は、第１読取手段において、光源を点灯させ、撮像手段により原稿の反射光を読み取り、１ライン分の読取画像を取得した後、次のラインの読取開始前に、第２の読取手段の光源を点灯させ、第１読取手段の撮像手段により、原稿の透過光を読み取り、１ライン分の透過画像として外形形状の情報を取得することが記載されている。
　よって、引用文献１に記載の画像読み取り装置は、
「第１読取手段において、光源を点灯させ、第１読取手段の撮像手段により原稿の反射光を読み取り、１ライン分の読取画像を取得した後、次のラインの読取開始前に、第２読取手段の光源を点灯させ、第１読取手段の撮像手段により、原稿の透過光を読み取り、１ライン分の透過画像として外形形状の情報を取得する」
ものであると認められる。
（４）以上まとめると、引用文献１には、以下の発明（以下、「引用発明」という。）が記載されていると認められる。
　なお、各構成の符号は、説明のために当審において付与したものであり、以下、構成ａ、構成ｂなどと称する。
（引用発明）
（ａ）原稿の画像を読み取る画像読取装置であって、
（ｂ）表面の画像を読み取る一方の読取ユニットである第１読取手段と、　裏面の画像を読み取る他方の読取ユニットである第２読取手段とが、原稿を挟んで略対向する位置に配置され、表面の読取位置と裏面の読取位置とは搬送方向に所定の距離だけ離れており、
（ｃ）両方の読取手段には、光源と、結像手段と、撮像手段とが配置され、前記撮像手段は、受光素子を備え、前記結像手段で結像させた光を出力信号に変換して出力し、
（ｄ）各読取手段の搬送路側には、対向する他の読取手段の結像手段の光軸上に、光学的開口部が設けられ、
（ｅ）前記光源は、光源からの光を、原稿に向けて照射する照射部と、撮像手段の読取幅全体に導く導光部と、を備えた導光体を有し、一方の読取手段の前記導光部により導かれる光は、光学的開口部を介して、他方の読取手段の読取位置を、原稿に対して垂直に照明し、前記照射部により照射する光は、前記導光部により光学的開口部に導かれる光に対して、所定の角度傾斜して、前記一方の読取手段の読取位置を照明し、
（ｆ）第１読取手段において、光源を点灯させ、第１読取手段の撮像手段により原稿の反射光を読み取り、１ライン分の読取画像を取得した後、次のラインの読取開始前に、第２読取手段の光源を点灯させ、第１読取手段の撮像手段により、原稿の透過光を読み取り、１ライン分の透過画像として外形形状の情報を取得する
（ａ）画像読取装置
３．引用文献２〜５の記載
（１）引用文献２、３
　引用文献２（特開２０１１−４４３３６号公報：段落〔００１８〕〜〔００３８〕、図１〜３、６等）、引用文献３（特開２０１１−１８２３７０号公報：段落〔００１４〕〜〔００３０〕、図１〜３、６、７等）には、以下の技術事項が開示されている。
「原稿読取装置に用いられる光源装置において、導光体の端部から入射した光を反射及び散乱させて導光体の光出射領域から光を出射する主走査方向に２列の光反射パターンを設け、光源から２方向に向けて光を出射させる技術」
（２）引用文献４
　引用文献４（特開平９−２６１４０９号公報：段落〔００２２〕〜〔００２６〕、図１等）には、以下の技術事項が開示されている。
「カラー画像読取装置において、互いに波長の異なる複数の光源と、それぞれの波長の光を読み取る複数列の光電変換素子群とを設ける技術」
（３）引用文献５
　引用文献５（特開２０１１−１８８２３１号公報：段落〔００５７〕〜〔００６２〕、図９、１０等）には、以下の技術事項が開示されている。
「画像読取装置において、蛍光体励起による白色光源と、セルフォックレンズを搭載したイメージセンサとを設ける技術」
４．その他の文献について
　前置報告書において周知技術を示す文献として引用された引用文献６（特開２００１−３２０５５１号公報：図８等）、引用文献７（特開昭６０−１４６３８６号公報：図１等）には、以下の技術事項が開示されている。
「一つの光源からの光で、第１照明領域と、該第１照明領域から副走査方向に離れた第２照明領域とを照明し、第１照明領域を透過した透過光を結像手段を介して受光部に導くと共に、第２照明領域で反射した反射光を他の結像手段を介して他の受光部に導く技術」
第５　対比・判断
１．本願発明と引用発明との対比
（１）本願発明の構成Ａ、Ｂと、引用発明の構成ｂ〜ｅとの対比
ア．引用発明における「原稿」は、そのイメージが、読取手段の撮像手段により読み取られるから、本願発明における「被読取物」に相当する。
イ．引用発明における「結像手段」は、原稿からの光を結像するから、本願発明における「被読取物からの光を結像するロッドレンズアレイ」に相当するといえ、引用発明における「撮像手段」は、結像手段で結像された光を電気信号に変換するから、本願発明における「ロッドレンズアレイで結像された光を電気信号に変換する受光部」に相当するといえる。
ウ．引用発明における「導光体」を有する「光源」は、「光源からの光を、撮像手段の読取幅全体に導く導光部」を備えているから、本願発明における「被読取物に光を照射する主走査方向に延在する照明部」に相当するといえる。
　また、引用発明において、一方の読取手段に備わる「導光体」を有する「光源」は、その導光部により、「当該読取手段の搬送路側に設けられ」た「光学的開口部」を介して、「原稿に対して垂直に照明」するとともに、照射部により、読取位置を「前記導光部により光学的開口部に導かれる光に対して、所定の角度傾斜して照明」するものである。
　したがって、引用発明の「導光体」を有する「光源」は、本願発明の「照明部」と、「１つの発光体から発する、前記被読取物の第１照明領域に対して前記被読取物の法線方向から照射する法線光と、前記第１照明領域から副走査方向に離れた第２照明領域に対して前記被読取物の法線方向から定められた角度だけ傾斜させた傾斜光とにより前記被読取物を照明する」点で共通するといえる。
エ．上記ア．〜ウ．より、引用発明における「光源」と「結像手段」と「撮像手段」を備える「読取手段」は、本願発明の「照明部」と「ロッドレンズアレイ」と「受光部」を具備する「それぞれの」、「イメージセンサ」に相当するといえ、引用発明の「第１の読取手段」と「第２の読取手段」は、本願発明における、「イメージセンサ、の対」に相当するといえる。
　また、引用発明の「第１の読取手段」と「第２の読取手段」は、原稿を挟んで略対向する位置に配置されているから、本願発明の「イメージセンサ、の対」が、「被読取物を挟んで対向」する点で一致する。
オ．引用発明において、「読取手段の搬送路側に設けられ」た「光学的開口部」は、「対向する他の読取手段の結像手段の光軸上」に設けられており、一方の読取手段の光源は、その導光部により、当該光学的開口部を介して、当該読取手段の読取位置とは搬送方向に所定の距離だけ離れ、他方の読取手段の光源が、その照射部により照明する「他方の読取手段の読取位置」を照明するから、引用発明の第１読取手段と第２読取手段との位置関係は、本願発明の「前記イメージセンサは相互に、一方の前記イメージセンサの前記法線光を照射する前記照明部が、他方の前記イメージセンサの前記ロッドレンズアレイに対向して配置され、一方の前記イメージセンサの前記照明部が前記法線光で照明する前記第１照明領域が、他方の前記イメージセンサの前記ロッドレンズアレイの光軸上の領域であって、他方の前記イメージセンサの前記照明部が前記傾斜光で照明する前記第２照明領域であると共に、一方の前記イメージセンサの前記照明部から発する前記法線光の光軸と、他方の前記イメージセンサの前記ロッドレンズアレイの光軸とが一致しており、」との構成に相当する位置関係にあるといえる。
カ．よって、引用発明の構成ｂ〜ｅは、本願発明の構成Ａ、Ｂに相当するといえる。
（２）本願発明の構成Ｃ、Ｄと、引用発明の構成ｆとの対比
　引用発明の構成ｆは、「第１読取手段において、光源を点灯させ、第１読取手段の撮像手段により原稿の反射光を読み取」る動作を含むから、本願発明の構成Ｄとは、「一方の前記イメージセンサの前記照明部の点灯タイミングにおいて、一方の前記イメージセンサの前記受光部で前記傾斜光が前記被読取物で反射した反射光を電気信号に変換」する点で共通するといえる。
　ただし、引用発明においては、原稿の透過光を読み取る動作は、１ライン分の読取画像を取得した後、次のラインの読取開始前に行われるから、第１の読取手段により反射光を読み取る際に、第２の読取手段により透過光を読み取る動作は行わない。
　また、引用発明は、原稿の反射光の読み取りのために、第１読取手段の光源の点灯と、第２読取手段の光源の点灯とが、互いに異なるタイミングであるかどうかが特定されていない。
　よって、本願発明の構成Ｃ、Ｄと、引用発明の構成ｆとは、「一方の前記イメージセンサの前記照明部の点灯タイミングにおいて、一方の前記イメージセンサの前記受光部で前記傾斜光が前記被読取物で反射した反射光を電気信号に変換」する点では共通するものの、その余の点では相違する。
（３）本願発明の構成Ｅと、引用発明の構成ａとの対比
　引用発明の「画像読取装置」は、原稿の画像を読み取る点で、本願発明の「イメージセンサ装置」に相当する。
（４）一致点、相違点
　以上のとおりであるから、本願発明と引用発明との間には、次の一致点、相違点があるといえる。
＜一致点＞
　それぞれが、
　被読取物に光を照射する主走査方向に延在する照明部、前記被読取物からの光を結像するロッドレンズアレイ、およびこのロッドレンズアレイで結像された光を電気信号に変換する受光部を具備し、
　前記照明部は、１つの発光体から発する、前記被読取物の第１照明領域に対して前記被読取物の法線方向から照射する法線光と、前記第１照明領域から副走査方向に離れた第２照明領域に対して前記被読取物の法線方向から定められた角度だけ傾斜させた傾斜光とにより前記被読取物を照明する
　イメージセンサ、の対を備え、
　前記イメージセンサの対は前記被読取物を挟んで対向し、前記イメージセンサは相互に、一方の前記イメージセンサの前記法線光を照射する前記照明部が、他方の前記イメージセンサの前記ロッドレンズアレイに対向して配置され、一方の前記イメージセンサの前記照明部が前記法線光で照明する前記第１照明領域が、他方の前記イメージセンサの前記ロッドレンズアレイの光軸上の領域であって、他方の前記イメージセンサの前記照明部が前記傾斜光で照明する前記第２照明領域であると共に、一方の前記イメージセンサの前記照明部から発する前記法線光の光軸と、他方の前記イメージセンサの前記ロッドレンズアレイの光軸とが一致しており、
　一方の前記イメージセンサの前記照明部の点灯タイミングにおいて、一方の前記イメージセンサの前記受光部で前記傾斜光が前記被読取物で反射した反射光を電気信号に変換する、
　イメージセンサ装置。
＜相違点＞
　本願発明においては、「一方のイメージセンサの照明部と他方のイメージセンサの照明部とは互いに異なるタイミングで点灯」し、「一方のイメージセンサの照明部の点灯タイミングにおいて、一方のイメージセンサの前記受光部で傾斜光が被読取物で反射した反射光を電気信号に変換」する際に、「他方のイメージセンサの受光部で透過光を電気信号に変換」するのに対して、引用発明においては、原稿の反射光の読み取りのために、第１の読取手段の光源と第２の読取手段の光源とが互いに異なるタイミングで点灯するとは特定されておらず、第１の読取手段の光源の点灯タイミングにおいて、第１の読取手段の撮像手段で原稿の反射光を読み取る際には、第２の読取手段の撮像手段で透過光を読み取る動作を行わない点。
２．相違点についての判断
　上記相違点について検討する。
　上記第４の３．のとおり、引用文献２〜５には、画像読取装置についての技術事項が記載されているが、照明部と受光部を具備するイメージセンサを、対として、被読取物を挟んで対向させて用いることは記載されていない。
　してみれば、いずれの文献も上記相違点に係る構成を開示しておらず、その示唆も見当たらない。
　また、上記相違点に係る構成が、当業者にとって自明であるともいえない。
　したがって、本願発明１は、引用発明及び引用文献２〜５に記載の技術事項に基づき、当業者が容易に発明し得たものとすることができない。
　なお、前置報告書で引用された引用文献６、７には、上記第４の４．のとおり、被読取物を挟むよう配設された複数の受光素子により、反射光と透過光とを受光する技術が記載されているものの、引用文献６に記載のものは、照明部が一つであるから、被読取物を挟んで対向する二つの照明部を点灯させるタイミングについての開示はない。
　また、引用文献７に記載のものは、照明部を二つ有するものの、一方の面に対する照明部及び読取部と他方の面に対する照明部及び読取部とが互いに離間して配置されており、二つの照明部を点灯させるタイミングについて、何ら開示されていない。
　してみれば、引用文献６、７は、上記相違点に係る構成を周知技術として開示しているとはいえず、上記相違点に係る構成を採用することは、当業者であっても、引用文献６、７に記載された周知技術に基づき、容易に想到し得るとはいえない。
　よって、本願発明は、当業者であっても、引用発明、引用文献２〜５に記載された技術事項又は引用文献６、７に記載のような周知技術に基づいて容易に発明できたものであるとはいえない。
第６　原査定について
　本願発明は、上記相違点に係る構成を有するものであるから、当業者であっても、引用発明及び周知技術に基づいて容易に発明できたものとはいえない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。